(57)【特許請求の範囲】
【請求項１】
シリンジの外筒に擬して筒状に形成されたガイド部と、前記ガイド部の軸方向先端部に連設され、前記ガイド部と連通する筒状の検出部と、前記検出部の内面に設けられた固定スリット板と、前記ガイド部内に軸方向移動自在に組み込まれた押子と、前記押子の軸方向先端部に固定され、前記押子の移動に追従して前記検出部内を前記固体スリット板に対向した状態で移動する移動スリット板と、前記ガイド部内に収容され、前記押子への当接により軸方向先方への移動を規制する閉塞ばねと、コンピュータ部と、前記コンピュータ部に設けられた表示部とを備え、全体として棒状を為し、ハウジングにシリンジに代えてセットして当該ハウジング側を点検校正するハウジングポンプの点検校正機であって、
当該ハウジングにシリンジに代えてセットして作動させると、前記コンピュータ部は時間により変化する前記２つのスリットの透光を利用して前記押子の移動距離を算出し、その結果に基づいて当該ハウジングの作動状況を前記表示手段に表示させることを特徴とするシリンジポンプの点検校正機。
【請求項２】
請求項１に記載したシリンジポンプの点検校正機において、
コンピュータ部は、閉塞ばねによる非規制時と規制時における押子の移動距離から対応するシリンジの送液量と閉塞圧を導出することを特徴とするシリンジポンプの点検校正機。
【請求項３】
請求項１または２に記載したシリンジポンプの点検校正機において、
固定スリット板または移動スリット板には移動方向に沿ってスリット位置をずらしたスリット群が２列以上設けられていることを特徴とするシリンジポンプの点検校正機。
【請求項４】
請求項１から３のいずれかに記載したシリンジポンプの点検校正機において、
コンピュータ部は外部のホストコンピュータとの連絡用に通信部を備えることを特徴とするシリンジポンプの点検校正機。
【発明の詳細な説明】
【技術分野】
【０００１】
本発明はシリンジポンプの点検校正装置に係り、特にシリンジポンプのハウジング側が正しく動作するかを点検したり、閉塞調整治具として用いたりするのに適した点検校正機に関するものである。
【背景技術】
【０００２】
患者へ薬液又は栄養剤等を正確且つ長時間にわたって送液する用途でシリンジポンプが広く用いられている。このシリンジポンプは、シリンジをハウジングにセットし、シリンジの本体ケース内に収容された薬液を押子のスライドにより押し出すようになっており、例えば特許文献１に記載されたものがある。
【０００３】
而して、シリンジポンプに誤動作が発生した場合には患者の生命に係わることから、正しく作動することを定期的に点検している。
点検の主な項目は次の通りである。
（１）シリンジの外筒がきちんとクランプされたことを確認しているか。
（２）シリンジのサイズを測定しているか。
（３）シリンジの押子がきちんとクランプされたことを確認しているか。
（４）設定された送液量で精度高く送液されているか。
（５）送液経路に閉塞が生じたことにきちんと警告動作するか。
【０００４】
点検項目（１）〜（３）については、実際にシリンジをハウジングにセットして、ハウジングの表示部に所定の表示がなされたかや押子が作動するか否かで確認できる。
しかしながら、点検項目（４）については、水を入れたシリンジをハウジングにセットし、シリンジポンプを作動させて、シリンジから送出された水をメスシリンダに採って計量し、実際の送液量が予め設定された送液量と一致しているかで確認している。
また、点検項目（５）については、シリンジ側の押子に送液経路に閉塞が生じたときと同様の力を加える装置、例えばばねばかり様の装置を取り付けて、ハウジング側が警告動作するかで確認している。
【先行技術文献】
【特許文献】
【０００５】
【特許文献１】特開２０１０−８８５６４号公報
【発明の概要】
【発明が解決しようとする課題】
【０００６】
点検項目（４）については、メスシリンダの目盛を正確に読み取るのは容易ではなく、熟練が必要である。また、メスシリンダによる計測を行うためにはある程度の量の水が必要であり、そのためシリンジポンプを相当な時間、駆動しなければならない。
また、点検項目（５）については、専用品を準備する必要があり、点検項目（４）と点検項目（５）との両方を実施することで、点検用品の品目が増えることになる。
さらに、閉塞検出板は経時変化するため、閉圧検出の校正も定期的に行う必要があるが、この校正用にも閉塞調整治具と呼ばれる専用品を準備する必要がある。
【０００７】
本発明は上記従来の問題点に着目して為されたものであり、点検項目（４）、（５）を含む点検項目（１）〜（５）の点検と、上記した校正とを一つの装置で、簡単にしかも正確に行うことができる、新規且つ有用なシリンジポンプの点検校正機を提供することを、その目的とする。
【課題を解決するための手段】
【０００８】
本発明は上記課題を解決するためになされたものであり、請求項１の発明は、  シリンジの外筒に擬して筒状に形成されたガイド部と、前記ガイド部の軸方向先端部に連設され、前記ガイド部と連通する筒状の検出部と、前記検出部の内面に設けられた固定スリット板と、前記ガイド部内に軸方向移動自在に組み込まれた押子と、前記押子の軸方向先端部に固定され、前記押子の移動に追従して前記検出部内を前記固体スリット板に対向した状態で移動する移動スリット板と、前記ガイド部内に収容され、前記押子への当接により軸方向先方への移動を規制する閉塞ばねと、コンピュータ部と、前記コンピュータ部に設けられた表示部とを備え、全体として棒状を為し、ハウジングにシリンジに代えてセットして当該ハウジング側を点検校正するハウジングポンプの点検校正機であって、当該ハウジングにシリンジに代えてセットして作動させると、前記コンピュータ部は時間により変化する前記２つのスリットの透光を利用して前記押子の移動距離を算出し、その結果に基づいて当該ハウジングの作動状況を前記表示手段に表示させることを特徴とするシリンジポンプの点検校正機である。
【０００９】
請求項２の発明は、請求項１に記載したシリンジポンプの点検校正機において、コンピュータ部は、閉塞ばねによる非規制時と規制時における押子の移動距離から対応するシリンジの送液量と閉塞圧を導出することを特徴とするシリンジポンプの点検校正機である。
【００１０】
請求項３の発明は、請求項１または２に記載したシリンジポンプの点検校正機において、固定スリット板または移動スリット板には移動方向に沿ってスリット位置をずらしたスリット群が２列以上設けられていることを特徴とするシリンジポンプの点検校正機である。
【００１１】
請求項４の発明は、請求項１から３のいずれかに記載したシリンジポンプの点検校正機において、コンピュータ部は外部のホストコンピュータとの連絡用に通信部を備えることを特徴とするシリンジポンプの点検校正機である。
【発明の効果】
【００１２】
本発明のシリンジポンプの点検校正機を使用すれば、以下の点検項目を一つの装置で簡単にしかも正確に確認することができる。
（１）シリンジの外筒がきちんとクランプされたことを確認しているか。
（２）シリンジのサイズを測定しているか。
（３）シリンジの押子がきちんとクランプされたことを確認しているか。
（４）設定された送液量で精度高く送液されているか。
（５）送液経路に閉塞が生じたことにきちんと警告動作するか。
また、閉塞検出の校正も行うことができる。
【図面の簡単な説明】
【００１３】
【図１】本発明の実施の形態に係るシリンジポンプの点検校正機をハウジングにセットした状態を示す斜視図である。
【図２】図１の点検校正機の斜視図である。
【図３】図２の点検校正機の一部断面上面図である。
【図４】図２の点検校正機の一部断面側面図である。
【図５】図２の点検校正機の２枚のスリット板の配置図である。
【図６】図５の２枚のスリット板の重ね合わせ図である。
【図７】図２の点検校正機のコンピュータ部を中心とする電気的構成図である。
【図８】図２の点検校正機の作動時の閉塞ばねによる規制開始直前の状態を示す一部断面側面図である。
【図９】図２の点検校正機の作動時の閉塞ばねによる規制開始後の状態を示す一部断面側面図である。
【発明を実施するための形態】
【００１４】
本発明の実施の形態に係るシリンジポンプの点検校正機１を図面にしたがって説明する。
図１、図２に示すように、この点検校正機１は、ガイド部３と、押子１３と、検出部３１と、コンピュータ部４７とが一体になっている。点検校正機１はガイド部３、検出部３１およびコンピュータ部４７が一直線状に連なって、全体として棒状を為している。
点検校正機１は、シリンジポンプのシリンジに代えてハウジング１０１にセットできるよう、ガイド部３の外面と押子１３の基端部は、シリンジを擬した外形を備えており、軸方向を水平にした状態でガイド部３をシリンジ載置部１０３に載置し、回転レバー１０５でクランプし、押子１３をスライダ１０７に固定すると、ハウジング１０１側は被擬シリンジがセットされた場合と同様に点検校正機１に対しての駆動が可能となる。
【００１５】
図２〜図４にしたがって構成を詳細に説明する。
点検校正機１のガイド部３は円筒状を為しており、軸方向の先端部と基端部は開通している。先端側の内面には通路を狭める段差５が設けられている。また、基端側には取付板７で閉塞され、この取付板７の外縁は外方に延出して被擬シリンジの外筒フランジに対応している。取付板７の中心には貫通穴が形成されており、この貫通穴を囲んでガイド筒１１が取り付けられており、貫通穴を介してガイド筒１１の中空部とガイド部３の内部空間は連通している。
【００１６】
上記した構成のガイド部３に押子１３が組み込まれている。
押子１３のシャフト１５の基端部にはプレート１７が固定されており、このプレート１７はハウジング１０１のスライダ１０７に固定されるようになっている。また、シャフト１５の先端部には円柱状のジョイント１９が取り付けられている。ジョイント１９には２つの段差が設けられており、進行方向側に向かって径寸法が小さくなっている。シャフト１５は上記したガイド筒１１を挿通して軸方向に移動自在に支持されており、その先端部およびジョイント１９はガイド部３の内部空間に入り込んでいる。
【００１７】
シャフト１５のガイド筒１１から外に出ている部分には負荷ばね（コイルばね）２１が巻き付けられており、この負荷ばね２１の一端はシャフト１５の外周に取り付けられた止具２３に止着され、他端はガイド筒１１に止着されている。この負荷ばね２１によってシャフト１５は薬液の押出し方向である進行方向側に付勢される。
【００１８】
符号２５は閉塞ばね（コイルばね）を示し、この閉塞ばね２５はガイド部３内に収容されている。閉塞ばね２５の中心径は、ガイド部３の内周面には接触しないが、段差５により小径となった周面には重なるように設定されている。閉塞ばね２５はジョイント１９の周囲に巻き回されており、進行方向側後端はジョイント１９の中間にある段差の外周面に止着され、進行方向側先端は遊端となっている。
【００１９】
符号２９は移動スリット板を示し、この移動スリット板２９は長方形板面を上下方向に向けた状態で、その基端側縁が上記したジョイント１９の差込み溝に差し込まれて固定されている。上記した閉塞ばね２５は、この移動スリット板２９を囲んだ状態で配されている。閉塞ばね２５は移動スリット板２９には接触していない。
【００２０】
検出部３１はガイド部３の軸方向先端側に連設されている。検出部３１もガイド部３と同様に筒状をなして、その外周面はガイド部３と面一となっている。また、内部空間どうしも連通している。
検出部３１の内側面の上側には受光素子３３が取付けられており、この受光素子３３と対向して下側には発光素子３５が取付けられている。この発光素子３５は発光ダイオードで構成されている。
【００２１】
符号３７は固定スリット板を示し、この固定スリット板３７は長方形の板面が上下方向を向いた状態で、検出部３１の内側上面から吊下げ支持されている。固定スリット板３７は上記した受光素子３３と発光素子３５とに挟まれている。
【００２２】
上記した移動スリット板２９の進行方向先端側は、この検出部３１の内部空間に入り込んでおり、固定スリット板３７に下側から臨んだ状態で対向している。
図４に示すように、移動スリット板２９と固定スリット板３７にはそれぞれスリットパターンが形成されている。
【００２３】
図５に示すように、固定スリット板３７にはスリット群３９が形成されており、各スリット４１は同一寸法の長方形を為しており、短辺が矢印に示す移動方向に平行で、長辺が垂直になった状態で整列しており、隣り合うスリット４１どうしの間隔も同一となっている。隣接するスリット４１どうしの間隔寸法（Ｄ１）も５０ミクロンとなっている。また、各スリット４１の短辺の長さ寸法、即ち幅寸法（Ｄ２）は５０ミクロンとなっている。固定スリット板３７には、上記したスリット群３９が二列形成されており、スリット間隔が２５ミクロンずれている。
【００２４】
移動スリット板２９にもスリット群４３が形成されており、各スリット４５は同一寸法の長方形を為しており、短辺が矢印に示す移動方向に平行で、長辺が垂直になった状態で整列している。各スリット４５の幅寸法および隣接するスリット４５どうしの間隔寸法はスリット４１と同じく設定されている。但し、スリット４５の長辺の長さは固定スリット板３７の短辺よりも長くなっている。
この点検校正機１では、発光素子３５から照射された光を移動スリット板２９と固定スリット板３７とを通すことによって生じる干渉縞を受光素子３３で検出するようになっている。
【００２５】
コンピュータ部４７は検出部３１の軸方向先端側に連設されている。コンピュータ部４７は箱状をなし、その外形寸法は上記したガイド部３や検出部３１より若干小さくなっている。
符号２７は磁石スイッチ２８のマグネットを示し、このマグネット２７は移動スリット板２９の進行方向側先端に取り付けられている。このマグネット２７の接近によりＯＮとなる磁石スイッチ２８はコンピュータ部４７側に設けられており、閉塞ばね２５の先端が段差５に当接して圧縮方向に規制を受け始めると、ＯＮになるようこの磁石スイッチ２８が位置決めされている。
図７に示すように、コンピュータ部４７にはワンチップのコンピュータ４９が内蔵されている。このコンピュータ４９には、各種データや手順を格納したり、作業領域を確保したりするための各種メモリ５１やカウンタ５３が備えられている。
コンピュータ部４７の表面には表示部４８が配置されており、この表示部４８はコンピュータ４９により表示制御下にある。また、先端部には通信部のコネクタ５０が設けられており、有線ケーブルを介して外部のパーソナルコンピュータからのデータの書込み、変更などが可能になっている。
【００２６】
コンピュータ４９の各種メモリ５１には、被擬シリンジのデータと処理手順が格納されている。
コンピュータ４９は、押子１３の移動に追従して移動スリット板２９が移動するが、コンピュータ４９は、移動スリット板２９と固定スリット板３７を光が通ることによって生じる干渉縞の明暗パターンの変化を検出して変化数を押子１３の移動距離として算出する。
【００２７】
送液量の精度を点検する場合には、コンピュータ４９は、移動距離をカウンタ５３でカウントしたカウント数の差で除して移動速度を導出する。そして、この移動速度を被擬シリンジに合わせて送液量に換算する。そして、各種メモリ５１からハウジング１０１側での設定送液量を読み出し、「＋○％」、「−○％」と精度を計算し、表示部４８に表示させる。
固定スリット板３７の２つのスリット群３９は移動方向に対して２５ミクロンずれているので、スリットの幅寸法が５０ミクロンでも実質的に２５ミクロンのものを設けた場合と同様の有効桁数で速度値が得られる。
【００２８】
閉塞圧の警告動作を確認する場合には、コンピュータ４９は、閉塞ばね２５が段差５に当たって閉塞圧が作り出されたことを、磁石スイッチ２８のオンにより確認した上で、各種メモリ５１から閉塞ばね２５のばね特性データ（校正曲線データ）を読み出し、逐次入力されてくる移動距離を閉塞ばね２５の縮みとして掛かっている荷重値に換算し、さらに被擬シリンジに合わせて換算して閉塞圧を算出する。そして、その値を表示部４８に表示させる。また、上記と同様にして移動速度も逐次算出する。そして、移動スリット板２９が止まったと判断した場合には、そのときの算出した閉塞圧がハウジング１０１側で警告動作発動の閉塞圧と一致するか否かを判断し、算出した閉塞圧値を同時に表示する。
【００２９】
点検校正機１は上記したように構成されており、次に点検校正機１による点検手順を説明する。
先ず、点検校正機１の各種メモリ５１にハウジング１０１側で設定する被擬シリンジに対応した送液量と閉塞圧のしきい値を格納しておく。
そして、図１に示すように、点検校正機１をハウジング１０１にセットして、ダイアル１０９を廻してコンピュータ４９側で設定した送液量に合わせる。セット状態がＯＫならば、ハウジング１０１側のクランプ確認ＬＥＤとスライダ確認ＬＥＤが点滅状態から消灯状態に変わる。これにより、ＬＥＤが正しく動作していることを確認できる。
【００３０】
次に、薬液を押し出す方向に押子１３を進行させる。ガイド部３の直径が測定されないと押子１３に固定させたスライダ１０７は作動しないので、押子１３の進行によりハウジング１０１側の測定機能が働くことを確認できる。
また、押子１３が移動すると、コンピュータ４９は上記したように送液量と閉塞圧に関する処理を行うので、表示部４８とハウジング１０１側の表示部１１１や警告ランプ１１３の点灯や警報の発動と照らし合わせることにより、設定された送液量で精度高く送液されているかと、送液経路に閉塞が生じたことにきちんと警告動作するかを確認できる。
【００３１】
次に、閉塞検出の校正手順を説明する。
点検する場合と同様に、図１に示すように、点検校正機１をハウジング１０１にセットして、ダイアル１０９を廻してコンピュータ４９側で設定した送液量に合わせる。また、ハウジング１０１側を所定のスイッチの押下により閉塞検出の校正モードに設定する。
そして、薬液を押し出す方向に押子１３を進行させて、閉塞圧を発生させる。点検校正機１の表示部４８に所定の閉塞圧（値）が表示されると、押子１３を停止させた上で閉塞圧（値）を所定のスイッチの押下によりハウジング１０１側に書き込む。その後、再び押子１３を進行させる。上記の動作を繰り返して閉塞圧（値）を３個書き込む。
この書き込みにより、ハウジング１０１側の閉塞検出が校正される。
【００３２】
上記のようにして、この点検校正機１を使用すれば、必要な項目（１）〜（５）を全て簡単にしかも正確に点検できるだけでなく、閉塞検出の校正もできる。
【００３３】
以上、本発明の実施の形態について詳述してきたが、具体的構成は、この実施の形態に限られるものではなく、本発明の要旨を逸脱しない範囲における設計の変更などがあっても発明に含まれる。
例えば、表示部４８には、作動状況を数値で示しても、「ＯＫ」、「ＮＯ」、「異常発生」と示してもよい。
【産業上の利用可能性】
【００３４】
本発明の点検校正機は、シリンジポンプのハウジングの点検だけでなく、閉塞検出の校正もできるので、これだけを用意すれば点検校正に対応できる。
【符号の説明】
【００３５】
１……点検校正機
３……ガイド部                  ５……段差
７……取付板                  １１……ガイド筒
１３……押子                    １５……シャフト
１７……プレート                １９……ジョイント
２１……負荷ばね                ２３……止具
２５……閉塞ばね                ２７……マグネット
２８……磁石スイッチ
２９……移動スリット板          ３１……検出部
３３……受光素子                ３５……発光素子
３７……固定スリット板          ３９……スリット群
４１……スリット                ４３……スリット群
４５……スリット                ４７……コンピュータ部
４８……表示部                  ４９……コンピュータ
５０……コネクタ                ５１……メモリ
５３……カウンタ
Ｄ１……隣り合うスリットどうしの間隔    Ｄ２……スリットの幅寸法
１０１……ハウジング            １０３……シリンジ載置部
１０５……回転レバー            １０７……スライダ
１０９……ダイアル              １１１……表示部
１１３……警告ランプ
【図１】
0005340352.tif 000002
【図２】
0005340352.tif 000003
【図３】
0005340352.tif 000004
【図４】
0005340352.tif 000005
【図５】
0005340352.tif 000006
【図６】
0005340352.tif 000007
【図７】
0005340352.tif 000008
【図８】
0005340352.tif 000009
【図９】
0005340352.tif 000010